(57)【要約】【課題】搬送される二つ折りされた冊子の中央頁部の隙間にガイド板の先端を挿入し、冊子の走行とともにその冊子の中央頁部をガイド板で開くようにした入紙用冊子開き装置において、常にガイド板の先端を搬送される冊子の中央頁部の隙間に対応する正確な位置に維持させることができ、かつ冊子の中央頁部の隙間位置の変更に対して簡単に対応することができるようにすること。【解決手段】搬送路１上にエアシリンダ９のピストンの先端に固定された出没可能のプッシャ８を設け、冊子３の通過後から通過直前までの間前記プッシャ８を前記搬送路１から突出させてガイド板４の先端部４ａをガイド板４の弾力に抗して押し支え、前記ガイド板４の先端４ｂを搬送される冊子３の中央頁部の隙間に対応する位置に位置決めするとともに、冊子３の厚みに応じてエアシリンダ９を上下調節する。【選択図】    図２
2007112005.tif 000002
【特許請求の範囲】
【請求項１】
冊子を搬送する搬送路の上方に前記搬送路に沿って配置され、先端部が搬送される冊子の背面側方向に順次狭く形成されたガイド板を具え、搬送される二つ折りされた冊子の中央頁部の隙間に前記ガイド板の先端を挿入し、冊子の走行とともに冊子の中央頁部を前記ガイド板で開き、開いた冊子の中央頁部に別の用紙類を挿入してなる入紙用冊子開き装置であって、前記搬送路上に出没可能のプッシャを設け、冊子の通過後から通過直前までの間前記プッシャを前記搬送路から突出させて前記ガイド板の先端部をガイド板の弾力に抗して押し支え、前記ガイド板の先端を搬送される冊子の中央頁部の隙間に対応する位置に位置決めしてなることを特徴とする入紙用冊子開き装置。
【請求項２】
プッシャはエアシリンダのピストンに固定され、前記エアシリンダを搬送される冊子の中央頁部の隙間位置に合わせて上下位置調整可能としてなることを特徴とする請求項１に記載の入紙用冊子開き装置。
【発明の詳細な説明】
【技術分野】
【０００１】
本発明は、搬送路を走行する冊子の隙間にガイド板を挿入して冊子を開き、開いた間に別の用紙類を挿入する入紙用冊子開き装置に関するものである。
【背景技術】
【０００２】
１枚以上の用紙を重ねて二つ折りして形成された冊子では、折り曲げた箇所すなわち冊子の中央頁部に隙間ができ、その隙間を利用して別途印刷した用紙や冊子などの用紙類を挿入する入紙装置はよく知られている。この入紙装置における冊子の中央頁部を開く機構として、冊子を搬送する搬送路の上方にガイド板を配置し、そのガイド板の先端部を搬送される冊子の背面側方向に順次狭く形成するとともに搬送路方向に傾斜させ、先端を搬送される冊子の中央頁部の隙間と対応する位置に決められている。
【０００３】
この冊子の中央頁部を開く機構では、搬送される二つ折りされた冊子の中央頁部の隙間にガイド板の先端が挿入され、冊子の走行とともに冊子の中央頁から上部の頁部はガイド板に沿って下部の頁部から上方へ離れ冊子の小口は中央頁部で開くので、その開かれた冊子の小口から別途印刷した用紙類を挿入することができる。
【発明の開示】
【発明が解決しようとする課題】
【０００４】
しかし、冊子の中央頁部の隙間は数ミリと狭いので、ガイド板の先端の位置は冊子の中央頁部の僅かな隙間に合わせた正確な位置決めが必要である。一方ガイド板の支持位置は冊子の通過範囲を避ける必要があるのでガイド板の先端から遠い位置で支持しなければならず、そのためにガイド板の先端は振動しやすく、常にガイド板の先端を正確な位置に維持させることができず、間違った頁の間に用紙類を挿入する場合が発生するという問題があった。また、冊子の厚みが変わり冊子の中央頁部の隙間位置が変更した場合には、ガイド板を交換するなどその調整が面倒であるという問題もあった。
【０００５】
本発明が解決しようとする課題は、常にガイド板の先端を正確な位置に維持させることができ、かつ冊子の中央頁部の隙間位置の変更に対して簡単に対応することができるようにし、斯かる問題を解消する点にある。
【課題を解決するための手段】
【０００６】
本発明は、冊子を搬送する搬送路の上方に前記搬送路に沿って配置され、先端部が搬送される冊子の背面側方向に順次狭く形成されたガイド板を具え、搬送される二つ折りされた冊子の中央頁部の隙間に前記ガイド板の先端を挿入し、冊子の走行とともに冊子の中央頁部を前記ガイド板で開き、開いた冊子の中央頁部に別の用紙類を挿入してなる入紙用冊子開き装置であって、前記搬送路上に出没可能のプッシャを設け、冊子の通過後から通過直前までの間前記プッシャを前記搬送路から突出させて前記ガイド板の先端部をガイド板の弾力に抗して押し支え、前記ガイド板の先端を搬送される冊子の中央頁部の隙間に対応する位置に位置決めしてなることを主な特徴とする。
【発明の効果】
【０００７】
本発明の主な特徴では、ガイド板の先端部を、ガイド板の先端が搬送される冊子の中央頁部の隙間にさしかかるまで、プッシャでガイド板の弾力に抗して押し支えて支持するので、常にガイド板の先端を搬送される冊子の中央頁部の隙間に対応する正確な位置に維持させることができ、間違った頁の間に用紙類を挿入することを防止することができる。また、プッシャの搬送路から突出する量を調整するだけで冊子の中央頁部の隙間位置の変更に対して簡単に対応することができる。
【発明を実施するための最良の形態】
【０００８】
搬送される二つ折りされた冊子の中央頁部の隙間にガイド板の先端を挿入し、冊子の走行とともにその冊子の中央頁部をガイド板で開くようにした入紙用冊子開き装置において、常にガイド板の先端を搬送される冊子の中央頁部の隙間に対応する正確な位置に維持させることができ、かつ冊子の中央頁部の隙間位置の変更に対して簡単に対応することができるように目的を、ガイド板の先端部をガイド板の弾力に抗して搬送路上に出没可能のプッシャで押し支えることにより実現した。
【実施例１】
【０００９】
以下、本発明の実施例について図を参照して説明する。図１は実施例に係る入紙用冊子開き装置の構成を示す平面図、図２は図１のＡ−Ａ断面図である。
【００１０】
図１および図２において、１は冊子が走行する板体からなる搬送路、２は搬送チェーン２ａに固定され冊子を押し進める搬送押し爪、３は二つ折りされた冊子（３ａは背、３ｂは小口）、４はガイド板、５は用紙集積棚、６は用紙、７は給紙ローラ、８はプッシャ、９はエアシリンダ、１０はつまみネジ、１１はエアシリンダ支持ブロック、１２はガイド軸、１３は機枠、１４はガイド板支持ブロック、１５ａおよび１５ｂは冊子検出器である。
【００１１】
搬送路１は傾斜面とされ側縁に搬送される冊子３の背３ａを当接する段差１ａが形成されており、搬送押し爪２より搬送される冊子３はその背３ａを段差１ａに当接して走行する。ガイド板４は冊子３の走行と干渉しない位置に設置されたガイド板支持ブロック１４で支持され、搬送路１の上方を覆うように位置し、その先端部４ａは搬送される冊子３の背面３ａ側方向に順次狭く形成されるとともに、搬送路１に向けて傾斜面とされており、その先端４ｂは段差１ａから多少離れた搬送路面１に近接した位置にある。
【００１２】
プッシャ８は、搬送路１に対して出没可能でガイド板４の先端部４ａと対向する搬送路１側に配置されており、搬送路１から突出したときガイド板４の先端部４ａをガイド板４の弾力に抗して押し上げ、ガイド板４の先端４ｂが搬送される冊子３の中央頁部の隙間と対向する位置となるように押し支える。プッシャ８は    エアシリンダ９のピストンの先端に固定され、エアシリンダ９にエアを供給することにより搬送路１から突出し、エアを抜くことにより引き込み搬送路１上から退避する。
【００１３】
エアシリンダ９は、エアシリンダ支持ブロック１１に固定され、エアシリンダ支持ブロック１１は機枠１３に固定したガイド軸１２に摺動自在に保持され、つまみネジ１０のネジと噛合している。つまみネジ１０を例えば時計方向に回転するとエアシリンダ９が上昇し、反時計方向に回転すると下降する。その上下下降は搬送路１の下方で行なわれる。
【００１４】
搬送される冊子３の厚みが厚いとき、すなわち冊子３の中央頁部の隙間が搬送路面１に対して高いとき、つまみネジ１０を時計方向に回転してエアシリンダ９を上昇させ、これにより図３に示すようにプッシャ８を上昇させて、プッシャ８を搬送路面１から突出させた状態でガイド板４の先端４ｂが搬送される冊子３の中央頁部の隙間と対向する位置に位置決めする。また、搬送される冊子３の厚みが薄いとき、すなわち冊子３の中央頁部の隙間が搬送路面１に対して低いとき、つまみネジ１０を反時計方向に回転してエアシリンダ９を下降させ、これにより図４に示すようにプッシャ８を下降させて、プッシャ８を搬送路面１から突出させた状態でガイド板４の先端４ｂが搬送される冊子３の中央頁部の隙間と対向する位置に位置決めする。いずれの場合もプッシャ８を引き込んだときは搬送路１上から退避する。
【００１５】
以上のように構成した冊子開き装置では、つまみネジ１０を回転して搬送路面１から突出させたプッシャ８の位置を調整し、ガイド板４の先端４ｂを搬送される冊子３の中央頁部の隙間と対向する位置に位置決めする。これにより搬送される冊子３の中央頁部の隙間にガイド板４の先端４ｂが挿入され、冊子３の走行とともに冊子３の中央頁から上部の頁部はガイド板４に沿って下部の頁部から上方へ離れ冊子３の小口３ｂは中央頁部で開いて用紙供給部に到達し、用紙集積棚５から給紙ローラ７で取り出されて搬送された用紙６を、その開かれた冊子３の小口３ｂから挿入する。
【００１６】
本実施例では、ガイド板４の先端４ｂの直前に投光素子１５ａと受光素子１５ｂとからなる冊子検出器が配置されており、走行する冊子３の先端の検出でエアシリンダ９のエアを抜き、プッシャ８を引き込み搬送路１上から退避させる。この退避で走行する冊子３と干渉することがなく、またガイド板４の先端４ｂは冊子３の中央頁部の隙間に確実に挿入することができる。そして、走行する冊子３の後端の検出でエアシリンダ９にエアを供給し、プッシャ８を搬送路１上から突出させてガイド板４の先端部４ａを押し支えて待機する。なお、プッシャ８の出没のタイミングは、冊子検出器が冊子の先端・後端を検出することと搬送長さをエンコーダなどのパルス数を知ることで制御されている。
【図面の簡単な説明】
【００１７】
【図１】本発明の実施例に係る入紙用冊子開き装置の構成を示す平面図である。
【図２】図１のＡ−Ａ断面図である。
【図３】本発明の実施例に係る入紙用冊子開き装置の調整動作説明図である。
【図４】本発明の実施例に係る入紙用冊子開き装置の調整動作説明図である。
【符号の説明】
【００１８】
１  搬送路
２  搬送押し爪
３  冊子
４  ガイド板
４ａ  ガイド板の先端部
４ｂ  ガイド板の先端
５  用紙集積棚
６  用紙
７  給紙ローラ
８  プッシャ
９  エアシリンダ
１０  つまみネジ
１１  エアシリンダ支持ブロック
１２  ガイド軸
１３  機枠
１４  ガイド板支持ブロック
１５ａ、１５ｂ  冊子検出器
【図１】
2007112005.tif 000003
【図２】
2007112005.tif 000004
【図３】
2007112005.tif 000005
【図４】
2007112005.tif 000006